(57)【要約】      （修正有）【課題】持ち出しタイプかつ上下二辺支持タイプのパネル手摺における安全装置を提供する。【解決手段】持ち出しタイプかつ上下二辺支持タイプのパネル手摺であり、パネル9は、支柱4の列設方向に連装された複数のパネル体9Uにより構成され、該パネル体9Uの側縁9aを前記支柱4に臨ませるように配置される。安全装置23A23Bは、支柱4に固着された座部24から外側に向けて延びる脚部25を有し、脚部25からパネル体9Uの外側面を被うように延設された翼部26を備えている。【選択図】図６
2010077626.tif 000002
【特許請求の範囲】
【請求項１】
外側空間(S1)と内側空間(S2)の間に位置する躯体(1)のベース部(2)に間隔をあけて列設された支柱(4)と、前記支柱(4)の上端近傍部及び下端近傍部からそれぞれ外側に向けて持ち出し状に設けられた上枠(6)及び下枠(8)と、前記上枠(6)及び下枠(8)のそれぞれに上端及び下端を支持されたパネル(9)とから成る手摺体(3)を構成する持ち出しタイプかつ上下二辺支持タイプのパネル手摺において、
前記パネル(9)は、支柱(4)の列設方向に連装された複数のパネル体(9U)により構成され、該パネル体(9U)の側縁(9a)を前記支柱(4)に臨ませるように配置されており、
前記支柱(4)に固着される座部(24)と、該座部(24)から外側に向けて延びる脚部(25)と、該脚部(25)から前記パネル体(9U)の外側面を被うように延設された翼部(26)とから成る安全装置(23A)(23B)を設けたことを特徴とする持ち出しタイプかつ上下二辺支持タイプのパネル手摺における安全装置。
【請求項２】
前記翼部(26)に緩衝材(37)を設けており、該緩衝材(37)を前記パネル体(9U)の外側面に係止可能に臨ませて成ることを特徴とする請求項１に記載の持ち出しタイプかつ上下二辺支持タイプのパネル手摺における安全装置。
【請求項３】
隣り合う一対のパネル体(9U)(9U)が相互に対向する側縁(9a)(9a)の間に間隙(P)を形成すると共に、該間隙(P)を前記支柱(4)に臨ませるように配置されており、
前記安全装置(23A)は、前記隙間(P)に脚部(25)を挿通させると共に、該脚部(25)の先端から両側方に一対の翼部(33)(33)を延設した断面ほぼＴ字形に形成されており、一対の翼部(33)(33)により前記隣り合う一対のパネル体(9U)(9U)の外側面を被うように構成して成ることを特徴とする請求項１又は２に記載の持ち出しタイプかつ上下二辺支持タイプのパネル手摺における安全装置。
【請求項４】
前記隙間(P)の幅が１０ｍｍ〜２０ｍｍの範囲内で形成されていることを特徴とする請求項３に記載の持ち出しタイプかつ上下二辺支持タイプのパネル手摺における安全装置。
【請求項５】
手摺体(3)の終端部に位置する終端パネル体(9Ue)の側縁(9ae)を前記支柱(4)に臨ませるように配置されており、
前記安全装置(23B)は、前記終端パネル体(9Ue)の側縁(9ae)に脚部(25)を交差させると共に、該脚部(25)の先端から側方に翼部(33)を延設した断面ほぼＬ字形に形成されており、前記翼部(33)により前記終端パネル体(9Ue)の外側面を被うように構成して成ることを特徴とする請求項１又は２に記載の持ち出しタイプかつ上下二辺支持タイプのパネル手摺における安全装置。
【請求項６】
パネル体(9U)は、合わせガラス又は強化ガラスから選ばれたガラスパネルにより構成されて成ることを特徴とする請求項１、２、３、４又は５に記載の持ち出しタイプかつ上下二辺支持タイプのパネル手摺における安全装置。
【発明の詳細な説明】
【技術分野】
【０００１】
本発明は、持ち出しタイプであり、しかも、上下二辺支持タイプとされたパネル手摺における安全装置に関する。
【背景技術】
【０００２】
従来、マンション等の集合住宅におけるバルコニーの手摺や、廊下の手摺は、採光性や防風性、更にはデザイン性を重視の上、ガラスパネルを使用したパネル手摺が多く採用されている。このようなパネル手摺は、外側空間と内側空間の間に位置する躯体のベース部に間隔をあけて支柱を列設し、該支柱を介してガラスパネルから成るパネルを取付けることにより構築されている。
【０００３】
この際、近年は、バルコニーや廊下等のスペースを考慮すると共に、近代的な意匠デザインを考慮することにより、支柱からブラケットを介してパネルを外側に持ち出し状に支持する「持ち出しタイプ」としたパネル手摺が多く採用されている。このような持ち出しタイプのパネル手摺は、「四辺支持タイプ」と「上下二辺支持タイプ」に区分される。
【０００４】
四辺支持タイプのパネル手摺は、支柱からブラケットを介して外側に持ち出し状に固設された上枠と下枠と竪枠によりパネルの四辺を支持する構造とされている。これに対して、上下二辺支持タイプのパネル手摺は、前記のような竪枠を設けず、支柱からブラケットを介して外側に持ち出し状に固設された上枠と下枠によりパネルの上端と下端を支持する構造とされている。つまり、上下二辺支持タイプの場合、パネルは、上下端の二辺を支持されているが、両側縁は支持されていない。尚、四辺支持タイプと二辺支持タイプの何れにおいても、上枠は、笠木により一体に形成される場合と、該上枠に別体の笠木を取付けられる場合とがある。
【０００５】
【特許文献１】特開２００５−１６３３５４号公報
【発明の開示】
【発明が解決しようとする課題】
【０００６】
上述の持ち出しタイプかつ上下二辺支持タイプのパネル手摺は、建造物の外側空間と内側空間の間に配置された支柱から上枠及び下枠とパネルを外側に持ち出し状に支持する構造であるから、外側空間から見たとき、横方向に連続して延びる上枠と下枠が視認され、しかも、パネル面が前面に押し出された美観と、パネルを横方向に連続して連ねたデザインが強調されるので、意匠として近代的美観を呈する利点があり、従って、本発明も、このような持ち出しタイプかつ上下二辺支持タイプのパネル手摺を対象としている。
【０００７】
しかしながら、安全性の観点からすると、従来の上下二辺支持タイプは、四辺支持タイプよりも劣る不安があり、この点において改善すべき課題が含まれている。
【０００８】
ところで、本発明者らが従来型の上下二辺支持タイプのガラスパネル手摺に関して、ＪＩＳにおける「合わせガラスの耐衝撃性能試験」に基づく試験を行ったところ、以下のような憂慮すべき結果が判明した。
【０００９】
（１）試験目的
共同住宅に設置される二辺支持ガラス手摺の衝撃に関する安全性の確認。
（２）供試験体
１）アルミ手摺枠
一段笠木持ち出しタイプ  Ｈ１１４５ｍｍ×Ｗ１０００ｍｍ  ４体
上下二辺支持タイプ
２）ガラスパネル
合わせガラス５ＦＬ＋中間幕＋５ＦＬ  Ｈ１０５８ｍｍ×Ｗ１０００ｍｍ
３）試験方法
ＪＩＳ  Ｒ  ３２０５（合わせガラス）に準じ、ショットバックによる衝撃試験を行い、衝撃特性を確認する。
・ショットバック（４５Ｋｇ）を振り子式に自由落下させ、ガラスパネル中心点の付近を一回加撃して観察する。
・落下高さは１２０ｃｍとし、試験体は４体とする。
４）判定基準
試験実施後、４枚とも手摺枠からガラスパネルの抜け・脱落がなく、次のａ）、ｂ）の何れかに適合しなければならない。
ａ）ガラスパネルが破壊した場合、破壊部分に直径７５ｍｍの球が自由に通過する開口が生じないこと。
ｂ）ガラスが破壊しないこと。
【００１０】
上記試験の結果、従来の上下二辺支持タイプのガラスパネル手摺として試験に供した試験体は、４体の全てに、ガラスパネルの抜け・脱落と、ガラスパネルの破壊等が認められた。このため、判定基準に適合する試験体は皆無であった。
【００１１】
上記に鑑みると、従来の持ち出しタイプかつ上下二辺支持タイプのガラスパネル手摺は、例えば、子供等がバルコニーや廊下からガラスパネルに衝突した場合、ガラスパネルが手摺枠から抜けて子供と一緒に落下する危険がある。また、ガラスパネルが抜けないときでも、破損し易く、破壊部分に大きな開口を生じるので、該開口から子供が落下するおそれがある。従って、早急に対策を講じなければ、マンション等のバルコニーや廊下において人身事故を招来する危険があり、憂慮すべき現状にある。
【課題を解決するための手段】
【００１２】
本発明は、持ち出しタイプかつ上下二辺支持タイプのパネル手摺に関して、上記課題を解決した安全装置を提供するものであり、その手段として構成したところは、外側空間と内側空間の間に位置する躯体のベース部に間隔をあけて列設された支柱と、前記支柱の上端近傍部及び下端近傍部からそれぞれ外側に向けて持ち出し状に設けられた上枠及び下枠と、前記上枠及び下枠のそれぞれに上端及び下端を支持されたパネルとから成る手摺体を構成する持ち出しタイプかつ上下二辺支持タイプのパネル手摺において、前記パネルは、支柱の列設方向に連装された複数のパネル体により構成され、該パネル体の側縁を前記支柱に臨ませるように配置されており、前記支柱に固着される座部と、該座部から外側に向けて延びる脚部と、該脚部から前記パネル体の外側面を被うように延設された翼部とから成る安全装置を設けた点にある。
【００１３】
本発明において、前記翼部は、緩衝材を設けるのが好ましく、該緩衝材を前記パネル体の外側面に係止可能に臨ませることが好ましい。
【００１４】
本発明の実施形態において、隣り合う一対のパネル体が相互に対向する側縁の間に間隙を形成すると共に、該間隙を前記支柱に臨ませるように配置されており、前記安全装置は、前記隙間に脚部を挿通させると共に、該脚部の先端から両側方に一対の翼部を延設した断面ほぼＴ字形に形成され、一対の翼部により前記隣り合う一対のパネル体の外側面を被うように構成されている。
【００１５】
前記隙間の幅は、１０ｍｍ〜２０ｍｍの範囲内で形成されているのが好ましい。
【００１６】
本発明の実施形態において、手摺体の終端部に位置する終端パネル体の側縁を前記支柱に臨ませるように配置されており、前記安全装置は、前記終端パネル体の側縁に脚部を交差させると共に、該脚部の先端から側方に翼部を延設した断面ほぼＬ字形に形成されており、前記翼部により前記終端パネル体の外側面を被うように構成されている。
【００１７】
前記パネル体は、合わせガラス又は強化ガラスから選ばれたガラスパネルにより構成することが好ましい。
【発明の効果】
【００１８】
請求項１に記載の本発明によれば、持ち出しタイプかつ上下二辺支持タイプのパネル手摺において、支柱４に固着された安全装置２３Ａ、２３Ｂの翼部２６によりパネル体９Ｕの側縁９ａを外側から被うことにより支持する構成であるから、内側空間Ｓ２からパネル体９Ｕに向けて強い衝撃が加えられても、該パネル体９Ｕの上端部９ｕ及び下端部９ｄが上枠６及び下枠８から抜け落ちたり、該パネル体９Ｕが破壊開口を生じるように破損したりすることはない。従って、例えば、子供がバルコニーや廊下の内側空間Ｓ２からパネル体９Ｕに衝突したような場合でも、パネル体９Ｕが抜け落ちたり大破して子供と一緒に落下したり、大きな破損開口を生じて子供を落下させてしまうようなことはなく、安全性を確保できる。
【００１９】
特に、本発明は、支柱４の列設方向に連装された複数のパネル体９Ｕによりパネル９が構成され、各パネル体９Ｕの側縁９ａを支柱４に臨ませるように配置している。そして、安全装置２３Ａ、２３Ｂは、座部２４を支柱４に固着し、脚部２５を該座部２４から外側に向けてパネル体９Ｕの側縁９ａを越えて延ばし、該脚部２５の交差方向に延設された翼部２６によりパネル体９Ｕの外側面を被うように構成されている。従って、安全装置２３Ａ、２３Ｂにより、支柱４からパネル体９Ｕの側縁９ａを堅固に支持するので、耐衝撃性に優れたものとなる。
【００２０】
この際、請求項２に記載の本発明によれば、翼部２６に緩衝材３７が設けられ、該緩衝材３７をパネル体９Ｕの外側面に係止可能に臨ませているので、パネル体９Ｕをガラスパネルとした場合でも、該ガラスパネルに加わる衝撃を好適に緩衝し、破損を防止する。
【００２１】
そして、請求項３に記載の本発明によれば、隣り合う一対のパネル体９Ｕ、９Ｕが相互に対向する側縁９ａ、９ａの間に間隙Ｐを形成し、該間隙Ｐを支柱４に臨ませるように配置され、これに対して、安全装置２３Ａは、前記隙間Ｐに脚部２５を挿通させると共に、該脚部２５の先端から両側方に一対の翼部３３、３３を延設した断面ほぼＴ字形に形成され、一対の翼部３３、３３により前記隣り合う一対のパネル体９Ｕ、９Ｕの外側面を被うように構成されている。従って、隙間Ｐに配置された１個の安全装置２３Ａが両側の一対のパネル体９Ｕ、９Ｕの側縁９ａ、９ａを同時に支持するので、安全装置２３Ａの個数に関して有利となり、しかも、安全装置２３Ａの取付工数に関しても有利となる。しかも、隙間Ｐを利用して安全装置２３Ａの取付けが可能になるので、施工作業上も有利である。
【００２２】
この際、前記隙間Ｐの幅寸法は、１０ｍｍ〜２０ｍｍの範囲内で形成すれば足りるので、外側空間Ｓ１から見たときに、持ち出しタイプかつ上下二辺支持タイプのパネル手摺に特有とされる前面持ち出し状のパネル体９Ｕが横方向に連続して連ねられた連装的デザインを損なうことがなく、しかも、外側空間Ｓ１から視認可能な安全装置２３Ａ、２３Ｂの翼部２６も小さく設計することにより、美観を損なうことがない。
【００２３】
更に、請求項５に記載の本発明によれば、手摺体３の終端部に位置する終端パネル体９Ｕｅは、その側縁９ａｅを支柱４に臨ませるように配置され、安全装置２３Ｂは、前記終端パネル体９Ｕｅの側縁９ａｅに脚部２５を交差させると共に、該脚部２５の先端から側方に翼部２６を延設した断面ほぼＬ字形に形成され、前記翼部２６により前記終端パネル体９Ｕｅの外側面を被うように構成されている。従って、連装方向の中間部分に位置するパネル体９Ｕのみならず、終端パネル体９Ｕｅに関しても、内側空間Ｓ２から該パネル体９Ｕｅに向けて強い衝撃が加えられても、該パネル体９Ｕｅの上端部９ｕ及び下端部９ｄが上枠６及び下枠８から抜け落ちたり、該パネル体９Ｕｅが破壊開口を生じるように破損したりすることはないという効果がある。
【００２４】
そして、安全装置２３Ａ、２３Ｂにより安全の確保が可能になるから、請求項６に記載のように、パネル体９Ｕを合わせガラス又は強化ガラスから選ばれたガラスパネルにより構成することが可能になり、試験結果に示されるような良好な耐衝撃性が実証された。
【発明を実施するための最良の形態】
【００２５】
以下図面に基づいて本発明の好ましい実施形態を詳述する。
【００２６】
（第１実施形態）
図１は本発明の第１実施形態を正面側（外側空間）から見た正面図を示している。図２は図１のＡ−Ａ断面を示し、図２の断面における上枠部分と下枠部分と上下中間部分の拡大図をそれぞれ図３、図４、図５に示しており、図５のＢ−Ｂ断面を図６に示している。更に、安全装置の分解斜視図を図７及び図８に示している。
【００２７】
図１及び図２に示すように、マンションその他の建造物のバルコニー又は廊下等を構成する躯体１において、外側空間Ｓ１と内側空間Ｓ２の間に位置するベース部２に手摺体３が構築されている。尚、ベース部２は、図示のような起立壁に限られるものではなく、水平床部であっても良い。
【００２８】
手摺体３は、前記ベース部２に立設されると共に所定の等間隔をあけて列設された支柱４と、支柱４の上端近傍部から外側に向けて延設された上部ブラケット５に固設された上枠６と、支柱４の下端近傍部から外側に向けて延設された下部ブラケット７に固設された下枠８と、上枠６及び下枠８により上下端部を支持されたパネル９とから構成されており、上述したような持ち出しタイプかつ上下二辺支持タイプのパネル手摺を構成している。
【００２９】
上枠６及び下枠８は、躯体１のベース部２の延長方向に沿って手摺体３の所定長さにわたって延びる。これに対して、パネル９は、支柱４の列設方向に連装された複数のパネル体９Ｕにより構成され、各パネル体９Ｕの側縁９ａａが支柱４に臨むように配置されている。具体的には、図１に示すように、等間隔に列設された隣り合う支柱４、４の幅方向中心線Ｘ、Ｘの間隔距離Ｌ１に対して、パネル体９Ｕの幅方向寸法Ｌ２が、Ｌ１＞Ｌ２となるように形成され、隣り合うパネル体９Ｕ、９Ｕの相互に対向する側縁９ａ、９ａの間に幅寸法Ｐ１を１０ｍｍ〜２０ｍｍの範囲としたスリット状の隙間Ｐが形成され、該隙間Ｐの幅方向中心が対応する支柱４の中心線Ｘに一致するように複数のパネル体９Ｕを連装状に配置している。そして、手摺体３の終端部に位置する終端パネル体９Ｕｅは、終端側の側縁９ａｅが終端部に位置する支柱４ｅの中心線Ｘよりも寸法Ｐ２（Ｐ２＝Ｐ１／２）だけ内側に位置するように配置されている。
【００３０】
各パネル体９Ｕは、採光性を有するように透明又は半透明の素材により形成されており、アクリルその他の樹脂パネルにより構成しても良いが、合わせガラス又は強化ガラスから選ばれたガラスパネルにより構成するのが好ましい。
【００３１】
前記支柱４は、下端を躯体１のベース部２に埋設され、無収縮モルタル等のモルタル１０を充填することにより堅固に固定される。横断面を図６に示すように、支柱４は、中空のアルミ芯材４ａを化粧筒４ｂに挿入し一体化しており、ビスを外部から化粧筒４ｂを貫通してアルミ芯材４ａにねじ込み可能な構成とされている。
【００３２】
図３に示すように、上部ブラケット５は、座部５ａにより支柱４の上端開口部を閉塞すると共に、該座部５ａを支柱４の上端部にビス等の固着手段１０で固着され、該座部５ａから外側に上向き傾斜して延びるアーム部５ｂの先端に上枠６をネジ等の固着手段１１で取着している。図例の場合、上枠６は、下向きに開口する溝形部６ａから水平方向に延びる内側片６ｂと外側片６ｃを一体に備えており、前記内側片６ｂを上部ブラケット５のアーム部５ｂの先端に固着した状態で、上方から笠木１２を被冠される。この際、内側片６ｂ及び外側片６ｃには上向きの爪が設けられ、笠木１２の内向きリブを該爪に嵌着する嵌着手段１２ａが構成されている。上枠６及び笠木１２は、アルミ製の通し材により構成することが好ましいが、図示のような断面形状に限定されるものではなく、要するにパネル体９Ｕの上端部を支持するように構成されたものであれば良い。また、図例では、上枠６と笠木１２を別部材により構成しているが、一体化した１つの部材により構成しても良い。
【００３３】
パネル体９Ｕの上端部９ｕは、上枠６の溝形部６ａに挿入され、溝の内部において、上端部９ｕの外側をガスケット１３で支持され、上端部９ｕの内側をバックアップ材１４で支持されると共にコーキング１５を施している。
【００３４】
図４に示すように、下部ブラケット７は、支柱４にビス等の固着手段１６で固着される垂直片７ａと、該垂直片７ａの下端から外側に折曲された支持片７ｂを有する断面Ｌ形の金具により構成され、前記垂直片７ａの近傍で支持片７ｂから起立する起立片７ｃを設けている。図例の場合、下枠８は、上向きに開口する溝形部８ａから水平方向に延びる内側片８ｂと外側片８ｃを一体に備え、内側片８ｂ及び外側片８ｃから下向きに延びる垂下片８ｄ、８ｅを形成しており、前記溝形部８ａには雨水等の水抜き孔１７を有する底部８ｆを形成すると共に、該底部８ｆの上方で溝の側壁から対向状に突出するリブ８ｇ、８ｇを形成している。そこで、下枠８は、底部８ｆを支持片７ｂに支持され、内側片８ｂの垂下片８ｅを垂直片７ａと起立片７ｃの間に嵌入されると共にビス等の固着手段１８で固着されている。下枠８は、アルミ製の通し材により構成することが好ましいが、図示のような断面形状に限定されるものではなく、要するにパネル体９Ｕの下端部を支持するように構成されたものであれば良い。
【００３５】
パネル体９Ｕの下端部９ｄは、下枠８の溝形部８ａに挿入され、リブ８ｇ、８ｇに載置されたブロック１９により下方から支持され、溝の内部において、下端部９ｄの外側をガスケット２０で支持され、下端部９ｄの内側をバックアップ材２１で支持されると共にコーキング２２を施している。
【００３６】
上記のような持ち出しタイプかつ上下二辺支持タイプのパネル手摺において、隣り合うパネル体９Ｕ、９Ｕの間に形成された隙間Ｐに位置して第１安全装置２３Ａが設けられ、終端パネル体９Ｕｅの終端側の側縁９ａｅに位置して第２安全装置２３Ｂが設けられている。第１安全装置２３Ａ及び第２安全装置２３Ｂは、パネル体９Ｕの高さ方向のほぼ中央位置に設けられる。
【００３７】
図５ないし図７に示すように、第１安全装置２３Ａは、支柱４に固着される座部２４と、該座部２４から外側に向けて延びることにより前記隙間Ｐを挿通する脚部２５と、該脚部２５からパネル体９Ｕの側縁９ａの外側面を被うように延設された翼部２６から成ることを基本的構成としている。
【００３８】
座部２４と、脚部２５と、翼部２６は、一体に形成しても良いが、図７に示すように、座部２４を構成する固着取付体２３ａと、脚部２５及び翼部２６を構成する延長取付体２３ｂに分割された構成とすることが好ましい。固着取付体２３ａは、支柱４の前面に沿って当接した状態でビス等の固着手段２７により固着される座板２８を備え、該座板２８の幅方向中央から突出する板状の連結部２９を設けている。これに対して、延長取付体２４ｂは、前記連結部２９に重ね合わせた状態でビス３０により固着される板状の取付部３１から延長された脚板部３２を備え、該脚板部３２の延長端に交差して断面ほぼＴ字形となる翼片部３３、３３を備えている。前記連結部２９と取付部３１の間には、相互に嵌合される凸条３４と凹条３５が形成され、前記座板２８と取付部３１の間には、取付部３１の端縁を嵌合させる溝３６が座板２８に形成されている。このように構成された固着取付体２３ａと延長取付体２４ｂは、それぞれアルミニウム等により押出成形された通し材を裁断し、ビス孔を穿孔することにより容易に製造することができる。
【００３９】
前記翼部２６を構成する翼片部３３、３３の内側には、ＥＰＤＭ（エチレン・プロピレン・ジエンゴム）その他の弾性材から成る帯板状の緩衝材３７が固着されている。図６に示すように、支柱４に第１安全装置２３Ａを取付けた状態で、緩衝材３７がパネル体９Ｕの外側面に対して僅かな隙間Ｓを有するように構成するのが好ましい。
【００４０】
図６及び図８に示すように、第２安全装置２３Ｂは、終端パネル体９Ｕｅの終端側の側縁９ａｅに位置して設けられ、翼部２６により該側縁９ａｅの外側面を被うように構成されている。上述したように第１安全装置２３Ａが翼部２６を一対の翼片部３３、３３により構成した断面ほぼＴ字形であるのに対して、第２安全装置２３Ｂは、翼部２６を片方の翼片部３３のみで構成した断面ほぼＬ字形に形成されている点で相違するが、その他の構成は第１安全装置２３Ａと同様であり、同一構成部分は同一符号で図示しているので、第１安全装置２３Ａに関して上述した説明を援用する。
【００４１】
上記構成の手摺体３によれば、隣り合うパネル体９Ｕ、９Ｕは、隙間Ｐを介して設けられた第１安全装置２３Ａの翼部２６により該パネル体９Ｕの両側縁９ａ、９ａを外側から被われる。そして、終端パネル体９Ｕｅは、終端側の側縁９ａｅに位置して設けられた第２安全装置２３Ｂの翼部２６により該側縁９ａｅを外側から被われる。従って、内側空間Ｓ２からパネル体９Ｕ（９Ｕｅ）に向けて強い衝撃が加えられても、側縁９ａ（９ａｅ）が翼部２６に係止して支持されるので、該パネル体９Ｕ（９Ｕｅ）の上端部９ｕ及び下端部９ｄが上枠６及び下枠８から抜け落ちることはない。そして、加撃時に、パネル体９Ｕ（９Ｕｅ）は、左右の両側縁９ａ、９ａ（９ａ、９ａｅ）が安全装置の翼部２６、２６に支持されているので、外側向きの変形が好適に防止され、しかも、緩衝材３７により衝撃が吸収されるので、破壊開口を生じるような破損には至らない。
【００４２】
第１安全装置２３Ａ及び第２安全装置２３Ｂは、固着取付体２３ａと延長取付体２４ｂに分割されている。従って、固着取付体２３ａを支柱４の前面の所定個所に添設した状態で、座板２８をビス等の固着手段２７で支柱４に固着する作業が容易である。このように固着取付体２３ａを支柱４に固着した後、連結部２９に脚板部３２を嵌合させ、横方向からビス３０で固着することにより、安全装置２３Ａ（２３Ｂ）の取付けを終了し、その後、パネル体９Ｕ（９Ｕｅ）を支柱４と翼部２６の間に入れ、上端部９ｕ及び下端部９ｄを上枠６及び下枠８に取付け支持させることができる。この際、前述のような隙間Ｓが形成されているので、パネル体９Ｕ（９Ｕｅ）を入れる作業が容易となる。
【００４３】
この際、手摺体３は、内側空間Ｓ２（バルコニーや廊下の内側）から構築可能な構成とされているので、高層住宅の高層階であっても足場が不要であり、第１安全装置２３Ａ及び第２安全装置２３Ｂ並びにパネル体９Ｕ（９Ｕｅ）の取付けも、内側空間Ｓ２から容易に行うことができ、作用性が良い。前述のように、各支柱４に対して第１安全装置２３Ａ及び第２安全装置２３Ｂを取付けた後に、上下枠６、８にパネル体９Ｕ（９Ｕｅ）を取付けても良いが、反対に、上下枠６、８にパネル体９Ｕ（９Ｕｅ）を取付けた後に、隙間Ｐを利用して各支柱４に第１安全装置２３Ａ及び第２安全装置２３Ｂを取付けても良い。何れの場合も作業性が良い。
【００４４】
（第２実施形態）
図９は本発明の第２実施形態を正面側（外側空間）から見た正面図を示し、図１０は図９のＡ−Ａ断面を示している。
【００４５】
上述した第１実施形態では、パネル体９Ｕ（９Ｕｅ）の上下高さ方向のほぼ中央部に各１個の第１安全装置２３Ａと第２安全装置２３Ｂを設けたが、第２実施形態は、パネル体９Ｕ（９Ｕｅ）の上下高さ方向に各２個の第１安全装置２３Ａ、２３Ａと第２安全装置２３Ｂ、２３Ｂを設けている。第２実施形態において、手摺体３の構成並びに第１安全装置２３Ａ及び第２安全装置２３Ｂの基本的構成は、上述の第１実施形態と同様であるが、第１安全装置２３Ａ及び第２安全装置２３Ｂの上下長さ寸法がやや小さく形成されている。上述したように、第１安全装置２３Ａ及び第２安全装置２３Ｂを構成する固着取付体２３ａと延長取付体２４ｂは、アルミニウム等により押出成形された通し材を裁断することにより形成されるので、裁断寸法を短くすると共に、ビス孔の個数を減少させるだけで、第２実施形態の第１安全装置２３Ａ及び第２安全装置２３Ｂを提供できる。
【００４６】
第２実施形態の構成によれば、パネル体９Ｕ（９Ｕｅ）の両側縁９ａ、９ａ（９ａ、９ａｅ）が上下方向の複数個所で安全装置２３Ａ、２３Ｂの翼部２６により支持されるので、安全性が更に高いものとなる。
【００４７】
（試験例）
従来型の上下二辺支持タイプのガラスパネル手摺に関して行った耐衝撃性能試験を本発明の安全装置を備えた上下二辺支持タイプのガラスパネル手摺についても行うことにより比較した。この試験は、ＪＩＳにおける「合わせガラスの耐衝撃性能試験」に基づく試験であり、安全装置を設けた点以外に、手摺体それ自体は先に試験した従来型のガラスパネル手摺と同じ構造のものであり、試験条件も同じである。
【００４８】
（１）試験目的
共同住宅に設置される二辺支持ガラス手摺の衝撃に関する安全性の確認。
（２）供試験体
１）アルミ手摺枠
一段笠木持ち出しタイプ  Ｈ１１４５ｍｍ×Ｗ１０００ｍｍ
上下二辺支持タイプの手摺体＋第１実施形態の一個タイプ安全装置  ４体
上下二辺支持タイプの手摺体＋第２実施形態の二個タイプ安全装置  ４体
２）ガラスパネル
合わせガラス５ＦＬ＋中間幕＋５ＦＬ  Ｈ１０５８ｍｍ×Ｗ１０００ｍｍ
３）試験方法
ＪＩＳ  Ｒ  ３２０５（合わせガラス）に準じ、ショットバックによる衝撃試験を行い、衝撃特性を確認する。
・ショットバック（４５Ｋｇ）を振り子式に自由落下させ、ガラスパネル中心点の付近を一回加撃して観察する。
・落下高さは１２０ｃｍとし、試験体は前記各４体の合計８体とする。
４）判定基準
試験実施後、４枚とも手摺枠からガラスパネルの抜け・脱落がなく、次のａ）、ｂ）の何れかに適合しなければならない。
ａ）ガラスパネルが破壊した場合、破壊部分に直径７５ｍｍの球が自由に通過する開口が生じないこと。
ｂ）ガラスが破壊しないこと。
【００４９】
上記試験の結果、「下二辺支持タイプの手摺体＋第１実施形態の一個タイプ安全装置」の４体は、ガラスパネルの破損は見られたが、ガラスパネルの抜け・脱落は皆無であった。そして、「上下二辺支持タイプの手摺体＋第２実施形態の二個タイプ安全装置」の４体は、ガラスパネルの抜け・脱落はもとより、ガラスパネルの破損も認められなかった。
【図面の簡単な説明】
【００５０】
【図１】本発明の第１実施形態を正面側（外側空間）から見た正面図である。
【図２】図１のＡ−Ａ断面図である。
【図３】図２の断面における上枠部分の拡大図である。
【図４】図２の断面における下枠部分の拡大図である。
【図５】図２の断面における安全装置が設けられた上下中間部分の拡大図である。
【図６】図５のＢ−Ｂ断面図である。
【図７】第１安全装置の分解斜視図である。
【図８】第２安全装置の分解斜視図である。
【図９】本発明の第２実施形態を正面側（外側空間）から見た正面図である。
【図１０】図９のＡ−Ａ断面図である。
【符号の説明】
【００５１】
１  躯体
２  ベース部
３  手摺体
４  支柱
５  上部ブラケット
６  上枠
７  下部ブラケット
８  下枠
９  パネル
２３Ａ  第１安全装置
２３Ｂ  第２安全装置
２４  座部
２５  脚部
２６  翼部
３７  緩衝材
Ｓ１  外側空間
Ｓ２  内側空間
Ｐ  隙間
【図１】
2010077626.tif 000003
【図２】
2010077626.tif 000004
【図３】
2010077626.tif 000005
【図４】
2010077626.tif 000006
【図５】
2010077626.tif 000007
【図６】
2010077626.tif 000008
【図７】
2010077626.tif 000009
【図８】
2010077626.tif 000010
【図９】
2010077626.tif 000011
【図１０】
2010077626.tif 000012